(57)【要約】【課題】  自封トラップにおいて、その全高を低いものとしつつ、且つスムーズに機能する自封トラップを提供する。【解決手段】  排水機器の排水を処理する自封トラップを、排水配管の流路中に、略筒体状にして可撓性を有する素材からなり、筒体の、排水が流入する側の一端が扁平形状を成し、筒体の中間部分にテーパー部分を設けて、筒体の他端の内面同士が当接することで筒体が閉塞し、筒体の扁平形状側から当接面側へ流れようとする流体の圧力に対して弾性変形して筒体内部を開口して流体を通過させると共に、当接面側から扁平形状側へ流れようとする流体の圧力に対しては閉塞した状態を維持して流体の通過を防止する閉塞部２を備えて構成する。【選択図】図１
2010126894.tif 000002
【特許請求の範囲】
【請求項１】
排水機器の排水を処理する自封トラップにおいて、
排水配管の流路中に、
略筒体状にして可撓性を有する素材からなり、
筒体の、排水が流入する側の一端が扁平形状を成し、
筒体の中間部分にテーパー部分を設けて、
筒体の他端の内面同士が当接することで筒体が閉塞し、
筒体の扁平形状側から閉塞側へ流れようとする流体の圧力に対して弾性変形して筒体内部を開口して流体を通過させると共に、
閉塞側から扁平形状側へ流れようとする流体の圧力に対しては閉塞した状態を維持して流体の通過を防止する閉塞部２を備えたことを特徴とする自封トラップ。
【請求項２】
上記排水配管の自封トラップにおいて、
扁平形状をなす自封トラップの上流側の端部に、
硬質の部材からなり、
上流側の端部が軸方向視略正円形状を有し、
下流側が上記自封トラップの上流側の端部形状に合致して水密的に嵌合する形状を有する、
アダプター部材５を備えてなる事を特徴とする、上記請求項１に記載の自封トラップ。
【請求項３】
上記排水配管の自封トラップにおいて、
アダプター部材５の上流側の端部が、
任意の規格寸法又は規格形状の管体との接続構造を成すことを特徴とする、上記請求項２に記載の自封トラップ。
【発明の詳細な説明】
【技術分野】
【０００１】
本発明は、排水配管の自封トラップに関し、更に詳しくは、自封トラップの全高を全て軟質な素材とした場合よりもその全高を低くできるようにすることを目的とした自封トラップに関するものである。
【背景技術】
【０００２】
従来より、洗濯機用防水パン、浴室、洗面台、流し台など、使用によって排水が発生する様々な家庭用機器（以下、このような使用によって排水が発生する機器を、「排水機器」と呼ぶ）が知られている。これらの排水機器には、通常、使用によって生じた排水を下水側に処理するため、排水配管が備えられている。これらの排水配管は必要に応じてその配管構造を変更し利用されている。
【０００３】
ところで、排水は通常下水側に排出されるため、単純に排水機器の排水の入り口である排水口から下水までを排水管で直接接続すると、下水側から臭気や害虫類が排水管内を逆流し、排水口から屋内側に侵入することとなる。これを防止するため、排水配管には、その管路中に、臭気や害虫類の逆流を防止する、排水トラップと呼ばれる部材が配置される。この排水トラップとしては、例えば特開２００３−５６０３６号に示された排水トラップのようにその内部に封水と呼ばれる排水の溜まり部分を設けて排水の流路を水封しすることで、臭気や害虫類の逆流を防ぐトラップ機能を付加した封水式トラップが一般的である。しかし、この封水式トラップでは、排水を利用して封水とするため、長期間排水機器を使用しないと封水が蒸発してトラップの機能を喪失する、破封と呼ばれる現象を生じる問題がある。
【０００４】
そこで、排水を使用しない自封トラップと呼ばれる排水トラップが提案されている。
図７に示したのはその一例であって、弾性素材から成る略円筒状の部材において、その一端を円形の管体に接続するために円形に、側面部分にテーパー部Ｔを設け、テーパー部Ｔの先端側の端部同士が当接して弾性により閉塞した閉塞部を構成した自封トラップである。この自封トラップを使用する場合、排水配管において、排水口からの排水管の端部に上記自封トラップの開放されている端部を接続し、下流側を下水側の配管等に向けて配管する。
【０００５】
排水機器を使用せず、排水が生じない状態においては、自封トラップの閉塞部は閉塞しているため、臭気や害虫類の逆流が防止される。このため、下水側から屋内側に臭気や害虫類の侵入が生じることはない。
排水機器を使用し、排水口に排水が流れ込むと、自封トラップの、排水口に接続された排水配管に接続された上方の円形の開口（以下「配管接続部」と呼ぶ）から排水が流入し、自封トラップ内部に排水が溜まり、水の重量（水圧）によって、弾性を備えた端部部分が水平方向に押し開けられるようにして開口し、内部から排水が吐水されて排水が行われる（当然ながら、この排水時においては排水が障害となり、臭気や害虫類の逆流は生じない）。排水機器の使用が終了し、自封トラップ内部の排水が十分に流れ出ると、下流側の端部は再び弾性によって閉塞し、臭気や害虫類の逆流が防止されるため、下水側から屋内側に臭気や害虫類の侵入が生じることはない。
以下この閉塞状態か排水状態のいずれかの状態のみが生じるため、下水側から屋内側への臭気や害虫類の侵入が防止され、自封トラップによる、下水側から屋内側に臭気や害虫類の侵入を防ぐトラップ機能の効果を得ることができる。
【０００６】
【特許文献１】特開２００３−５６０３６号
【特許文献２】実公昭６０−２４７８８号
【発明の開示】
【発明が解決しようとする課題】
【０００７】
しかしながら上記従来例には以下のような問題点があった。
近年、排水トラップの全高をなるべく低いものにしようとする試みが盛んである。例えば洗面台・流し台などキャビネットを備えた排水機器であれば、排水トラップが配置される洗面ボウル下・シンク下のキャビネットの内部空間は引き出しなどを利用した収納空間として利用されており、引き出しの障害物となる排水トラップは、なるべく全高を低くし収納空間の障害にならないように要望されている。
また洗濯機用パンの配管や浴室配管の場合、集合住宅、いわゆるマンションでは、全体の高さはそのままでも、各階の階層の高さを低くする事で多少とも一棟当たりの部屋数を増やそうとする要望が強い。例えば、１階層が２５０センチメートル、２４階建ての集合住宅に対して、１階層を１０センチメートル狭くし、２４０センチメートルとすれば、全体ではほぼ同じ高さとしながらも２５階建てマンションにする事ができ、一棟当たりの部屋数が増加する。しかし、居住空間の高さを低くすると生活の快適さが失われることから、居住空間の高さはそのままで、居住空間の下、即ち排水配管が行われる床下空間を上下方向に狭くすることで各階の階層の高さを低くする、低床配管の採用が盛んである。このため、低床配管に採用される部材である排水トラップに対しても全高を低くすることが要望されていた。
【０００８】
ところが、排水トラップとして自封トラップを採用した場合、全高を低くすることに対し次のような問題があった。上述のように、自封トラップの上流は排水配管の管体との接続のため一定の直径の円形を維持しなければならないが、下流側では弾性を利用して自封トラップの側面同士が当接して閉塞部を形成しなければならない。排水配管の管体の外径、または内径はＪＩＳ規格などの規格に基づいて定められており、自由に縮径することはできない。このため、自封トラップの上端側には一定の幅を設けた上、全高を低くしつつ閉塞部で側面同士が当接するようにするには、その分、テーパー部の傾斜角度を自封トラップ本体の中心軸に対し大きく緩やかに（水平に近くなるように）する必要がある。
しかし、テーパー部の当接面同士が成す角度が大きくなりすぎると、排水の重量の作用が下方向にのみ作用し、自封トラップの閉塞部の開口を水平方向に押し広げる方向に作用せず、その機能を十分に果たせなくなる。自封トラップが効果的に作用するためには、図７に示した従来例のように、テーパー部の傾斜角度が自封トラップ本体の中心軸に対してある程度小さく、閉塞部の当接する面同士が成す角度を小さくし、排水の重量の作用が閉塞部の側面を押し広げ易くする必要がある。このため、自封トラップのテーパー部の傾斜角度はある程度以上自封トラップ本体の中心軸に対して大きくすることはできず、そのため全高を低くすることができないものであった。本発明は上記問題点に鑑み発明されたものであって、自封トラップにおいて、その全高を低いものとしつつ、且つスムーズに機能する自封トラップを提供するものである。
【課題を解決するための手段】
【０００９】
請求項１に記載の本発明は、排水機器の排水を処理する自封トラップにおいて、
排水配管の流路中に、略筒体状にして可撓性を有する素材からなり、筒体の、排水が流入する側の一端が扁平形状を成し、筒体の中間部分にテーパー部分を設けて、筒体の他端の内面同士が当接することで筒体が閉塞し、筒体の扁平形状側から閉塞側へ流れようとする流体の圧力に対して弾性変形して筒体内部を開口して流体を通過させると共に、閉塞側から扁平形状側へ流れようとする流体の圧力に対しては閉塞した状態を維持して流体の通過を防止する閉塞部２を備えたことを特徴とする自封トラップである。
【００１０】
請求項２に記載の本発明は、上記排水配管の自封トラップにおいて、
扁平形状をなす自封トラップの上流側の端部に、硬質の部材からなり、上流側の端部が軸方向視略正円形状を有し、下流側が上記自封トラップの上流側の端部形状に合致して水密的に嵌合する形状を有する、アダプター部材５を備えてなる事を特徴とする、上記段落０００９に記載の自封トラップである。
【００１１】
請求項３に記載の本発明は、上記排水配管の自封トラップにおいて、
アダプター部材５の上流側の端部が、任意の規格寸法又は規格形状の管体との接続構造を成すことを特徴とする、上記段落００１０に記載の自封トラップである。
【発明の効果】
【００１２】
本発明の自封トラップは上記のように構成したため、以下のような優れた効果を奏する。
１）請求項１に記載の本発明では、自封トラップを成す筒体の、排水が流入する側の一端を扁平形状としたことで、自封トラップの全高を低いものとしつつ、且つテーパーの当接面同士が成す角度を小さくし、自封トラップの排水の作動をスムーズなものとすることができる。
２）請求項２に記載の本発明では、扁平形状を備えたトラップ本体の上流側の端部に、硬質な素材から成るアダプター部材を備えたことによって、円形から扁平形状への形状の変化を極めて低い高さ幅で行うことができ、円形である管体との接続を極めて容易に行うことができる。
３）請求項３に記載の本発明では、アダプター部材の端部部分を規格寸法又は規格形状を成すことによって、一般的な排水配管に多く採用できるようにすることができる。
【実施例】
【００１３】
本発明の自封トラップの実施例を、図１乃至図４を参照しつつ説明する。
図１乃至図４に示した本発明の実施例は、以下に記載する、自封トラップ本体１と、アダプター部材５と、自封トラップ本体１をその内部に収納する筒部材８と、から構成される。
自封トラップ本体１は、シリコンゴム等の弾性を備えた素材からなり、その全体は筒体を成して、一端から他端へ向けてその内部を排水が通過するように構成されてなる。
該自封トラップ本体１の一端、排水機器が使用した排水が流れ込んでくる、排水機器の排水口に接続された排水配管に接続される側の端部は、円形を押しつぶした扁平乃至楕円形状（以下、この楕円形状の場合も含めて「扁平形状」と呼ぶ）を成し、自封トラップ本体１の中間部分の側面、扁平部分の長手方向の面に連続する（下方に繋がる）側面に、自封トラップ本体１の内側に向かう傾斜を備えた第一テーパー部３を設け、該第一テーパー部３の下方に連続する自封トラップ本体１の他端は、楕円の長手方向の側面内面同士が当接することで自封トラップ本体１が通気等を生じない、閉塞部２を構成してなる。上記自封トラップ本体１は扁平形状の開口（以下「流入口４」と呼ぶ）から排水が流入し、内部に排水が溜まると、その排水の重み（水圧）によって閉塞した閉塞部２が開口して排水を下流側端部の接続先に排出するように構成される。尚、閉塞部２は、下流側から上流側に流体の圧力（気圧、水圧）が加えられても、閉塞した状態を維持して流体の通過を防止する。
アダプター部材５は硬質素材である硬質樹脂からなる筒状の部材で、排水機器の排水口側に接続される、上流側の端部はＪＩＳ等の規格に合致する規格寸法及び形状の管体との接続を行う配管接続部７を構成し、他端は自封トラップ本体１の流入口４の扁平形状と合致する形状を有した、扁平接続部９を備えてなり、両端部の中間部分は自封トラップ本体１の第一テーパー部３よりも自封トラップ本体の中心軸に対して大きい角度を成す第二テーパー部６を備えてなる。また配管接続部７の外周面に、下記筒部材８の一端の内面と水密的に取り付けされる取付部１０としての雄ネジを備えてなる。
筒部材８は上記自封トラップ本体１をその内部に収納しつつ、排水配管との接続を行う為の筒形状を成す部材であって、一端の内面は上記アダプター部材５の配管接続部７外周面に備えられた取付部１０と螺合する、被取付部１１としての雌ネジを備えると共に、他端側は下水側の排水配管と水密的な接続が可能なようにＪＩＳ等の規格に合致する規格寸法及び形状の配管との接続を行う下流側配管接続部１２を備えて成る。
【００１４】
上記のように構成された本発明の自封トラップは、以下のようにして排水機器の排水口からの排水配管と、下水側の排水配管の間に接続される。
まず自封トラップ本体１の流入口４と、アダプター部材５の扁平接続部９を水密的に接続する。次に、筒部材８によって覆うように、筒部材８の内部に自封トラップ本体１を挿通させ、アダプター部材５の配管接続部７外周面に設けた取付部１０の雄ネジと、筒部材８の端部内面に設けた被取付部１１の雌ネジとを螺合させ、筒部材８とアダプター部材５とを取り付け固定する。最後に、アダプター部材５の配管接続部７を排水機器の排水口からの排水配管に、筒部材８の下流側配管接続部１２を下水側の排水配管に接続して、本発明の自封トラップの接続が完了する。
【００１５】
以上のように構成された自封トラップは、以下のようにして使用される。
排水機器を使用せず、排水が生じない状態においては、自封トラップ本体１の第一テーパー部３の先端側、即ち閉塞部２は閉塞しているため、下水側からの臭気や害虫類の逆流が防止される。このため、下水側から屋内側に臭気や害虫類の侵入が生じることはない。
排水機器を使用し、排水機器の排水口に排水が流れ込むと、アダプター部材５の配管接続部７内に排水が流入し、アダプター部材５内部の扁平接続部９、自封トラップ本体１の流入口４を介し、自封トラップ本体１内部に排水が溜まり、ある程度排水が溜まると水の重量（水圧）によって、弾性を備えた自封トラップ本体１の閉塞部２が内部から押し開けられるようにして開口し、排水が吐水されて排水が行われる（当然ながら、この排水時においては排水が傷害となり、臭気や害虫類の逆流は生じない）。
排水機器の使用が終了し、自封トラップ本体１内部の排水が十分に流れ出ると、自封トラップ本体１の閉塞部２は再び弾性によって閉塞し、臭気や害虫類の逆流が防止されるため、下水側から屋内側に臭気や害虫類の侵入が生じることはない。
以下この閉塞状態か排水状態のいずれかの状態のみが生じるため、下水側から屋内側への臭気や害虫類の侵入が防止され、自封トラップによるトラップ機能の効果を得ることができる。
【００１６】
上記自封トラップにおいては、図１に示したように、短手辺の対向位置から見たとき、第一テーパー部３が自封トラップ本体１の中心軸に対して成す角度は、従来の自封トラップのテーパー部Ｔが自封トラップ本体１の中心軸に対して成す角度とほぼ同じであり、当然、自封トラップ本体１内部に排水が溜まり、排水が行われる際の閉塞部２の開き易さは従来の自封トラップ１の閉塞部２とほぼ同じとなる。
一方、第二テーパー部６が自封トラップ本体１の中心軸に対して成す角度は、従来の自封トラップ本体１のテーパー部Ｔが自封トラップ本体１の中心軸に対して成す角よりも大きな角度であり、水平方向内側に同じ幅だけテーパー部が進んだ場合、第二テーパー部６の方が、従来例のテーパー部Ｔよりも全高が低くて済む。結果、排水口からの排水配管が接続される配管接続部７の内径が同じでも、第二テーパー部６が自封トラップ本体の中心軸に対して成す角度が、従来例のテーパー部Ｔが自封トラップ本体１の中心軸に対して成す角度より大きい分、従来例の自封トラップの全高より、本実施例のアダプター部材５と自封トラップ本体１を組み合わせたものの全高の方が、高さ幅を低くすることができる。
このため、洗面台や流し台のキャビネット内の配管、また浴室の低床配管など、排水トラップの全高を低くしたい部分に効果的に使用することができる。
【００１７】
本発明の実施例は以上のようであるが本発明は上記実施例に限定される物ではなく、主旨を変更しない範囲において自由に変更が可能である。例えば、本発明の実施例では、アダプター部材５に第二テーパー部６としてテーパー、即ち傾斜面部分を設けているが、本発明のアダプター部材５は上記実施例に限定されるものではなく、図５に示したように円筒部分から扁平部分への移行をほぼ平坦な面によって構成される平坦部分を設けることで対応しても良い。このように構成すると、平坦部分に排水中のゴミなどが堆積する可能性があるが、テーパー部を設けないだけ全高を低くすることができる。
【００１８】
また上記実施例では排水配管に合わせて上流側端部にアダプター部材５を、下流側端部に筒部材８を、それぞれ介して排水配管の管体に接続して構成しているが、例えば図６に示した洗濯機用排水機器である洗濯機用防水パンの排水口に備えられる自封トラップのように、上流は洗濯機用防水パンの排水口に接続し、下流は排水を受け止める排水器内に開放することで、アダプター部材５及び筒部材８を省略するように構成しても構わない。
【図面の簡単な説明】
【００１９】
【図１】本発明の実施例の、短手辺の対向位置から見た断面図である。
【図２】本発明の実施例の、長手辺の対向位置から見た断面図である。
【図３】本発明の実施例の、筒部材を省略した斜視図である。
【図４】本発明の実施例の、筒部材を省略した斜視図である。
【図５】本発明の他の実施例を示す断面図である。
【図６】洗濯機用防水パンに本発明の自封トラップを採用した実施例の断面図である。
【図７】従来例を示す断面図である。
【符号の説明】
【００２０】
１    自封トラップ本体        ２    閉塞部
３    第一テーパー部          ４    流入口
５    アダプター部材          ６    第二テーパー部
７    配管接続部              ８    筒部材
９    扁平接続部              １０  取付部
１１  被取付部                １２  下流側配管接続部
Ｔ  テーパー部
【図１】
2010126894.tif 000003
【図２】
2010126894.tif 000004
【図３】
2010126894.tif 000005
【図４】
2010126894.tif 000006
【図５】
2010126894.tif 000007
【図６】
2010126894.tif 000008
【図７】
2010126894.tif 000009